(57)【特許請求の範囲】
【請求項１】
用紙に任意の透かし模様を設けた透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法。
【請求項２】
用紙に任意の透かし模様を設けた透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて白色光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法。
【請求項３】
用紙に任意の透かし模様を設け、前記透かし模様上に有色インキによる模様印刷による隠蔽層を有した透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて前記有色インキと同色又は近似した色相の光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法。
【請求項４】
用紙に任意の透かし模様を設け、前記透かし模様上に有色蛍光インキによる模様印刷と、前記有色蛍光インキとエネルギー線照射時に同色又は近似した色相で発光する無色蛍光インキによるベタ模様を印刷された隠蔽層を有した透かし模様入り用紙に、万線パターン又は網点パターンを印刷した光透過性基板からなる判別具を用いて、前記前記用紙に設けた透かし模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、さらに、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法。
【請求項５】
用紙に任意の透かし模様を設けた透かし模様入り用紙を、万線パターン又は網点パターンを印刷した光透過性基板からなる判別具を密着させて判別する透かし模様入り用紙において、
前記用紙に設けた透かし模様上に、前記判別具の万線パターン又は網点パターンが印刷されている面を密着させて観察した場合又は白色光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙。
【請求項６】
用紙に任意の透かし模様を設けた透かし模様入り用紙を、万線パターン又は網点パターンを印刷した光透過性基板からなる判別具を密着させて判別する透かし模様入り用紙において、
前記用紙に設けた透かし模様上に有色インキによる模様印刷による隠蔽層を有し、前記隠蔽層を有した透かし模様に、前記判別具の万線パターン又は網点パターンが印刷されている面を密着させて前記有色インキと同色又は近似した色相の光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙。
【請求項７】
用紙に任意の透かし模様を設けた透かし模様入り用紙を、万線パターン又は網点パターンを印刷した光透過性基板からなる判別具を密着させて判別する透かし模様入り用紙において、
前記用紙に設けた透かし模様上に有色蛍光インキによる模様印刷と、前記有色蛍光インキとエネルギー線照射時に同色又は近似した色相で発光する無色蛍光インキによるベタ模様を印刷された隠蔽層を有し、前記隠蔽層を有した透かし模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、更に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙。
【請求項８】
前記透かし模様入り用紙の透かし模様が透過光で視認できないように、前記透かし模様の裏面にカモフラージュ模様を印刷したことを特徴とする請求項５、６又は７記載の透かし模様入り用紙。
【請求項９】
前記透かし模様入り用紙の透かし模様が透過光で視認できないように、前記透かし模様入り用紙の片面に不透明度の高い基材を接着したことを特徴とする請求項５、６又は７記載の透かし模様入り用紙。
【請求項１０】
万線パターン又は網点パターンを印刷した光透過性基板からなり、前記基板の万線パターン又は網点パターンを印刷した面を、任意の透かし模様の形成された透かし模様入り用紙の前記透かし模様に密着させて、前記透かし模様の凹んでいる領域に前記判別具の万線パターン又は網点パターンの影が発生し、前記判別具の非印刷部から前記影によって可視化された前記透かし模様が視認される前記透かし模様入り用紙を判別する判別具。
【請求項１１】
前記万線パターンは１インチ当たり１５０から３００本の万線パターンからなり、前記網点パターンはスクリーン線数が１５０線から３００線の範囲で、網点率が３０％〜７０％からなることを特徴とする請求項１０記載の判別具。
【発明の詳細な説明】
【０００１】
【発明の属する技術分野】
本発明は、銀行券、株券、有価証券、通行券、パスポート、カード等の偽造、複写を防止する必要性のある貴重印刷物に適用される。通常、透かし模様は透過光以外の方法では視認できないが、判別具を密着させて観察した場合又は白色光等を照射して観察した場合に透かし模様を視認することができる透かし模様入り用紙の真偽判別方法及びその透かし模様入り用紙並びにその判別具に関するものである。
【０００２】
【従来の技術】
透かし模様入り用紙は用紙に意匠性や偽造防止効果を付与する目的として美術性を有する用紙や銀行券等の貴重印刷物に使用されている。通常、透かし模様入り用紙の透かし模様を判別するには透過光により用紙を透かして判別していた。よって、透かし模様入り用紙を手にとって透過光で判別する方法以外に透かし模様を視認することができず、透かし模様を設けた面に印刷模様を設けた場合、透過光において透かし模様の視認性が低下する恐れがあった。また、特開２００１−１０１９７号公報にあるように、すき入れに赤外光を照射して得られる透過光強度によってすき入れの有無を判別し、真偽判別に用いる方法がある。
【０００３】
一方で、印刷物において判別具を用いて簡易的な真偽判別を行う方法としては、例えば、模様部と縁取り部で半周期ずれたパターンを印刷しておき、その背景に縁取り部に対して見た目で判別できない程度の色と濃度を有する印刷を施したものに、縁取り部と干渉するようなパターンを施した判別具を重ねることでモアレを発生させ、真偽判別を行う方法（特開平１０−１００５２９号公報参照）などがある。
【０００４】
【発明が解決しようとする課題】
このように、透かし模様はおもに透過光でその模様を確認し、用紙の真偽判別方法として用いられていた。しかしながら、透過光で観察したときのすき入れ模様を疑似すき入れをもちいて再現したり、反射光で観察したときのすき入れ模様も、一般的なカラーコピー機で擬似的に再現されてしまうおそれがあった。また、すき入れ模様の両面または片面に印刷を施すことですき入れの存在を隠蔽する方法もあるが、すき入れ模様の透過光での視認性を悪化させる原因となっていた。
【０００５】
また、赤外光の透過光量などによって真偽判別を行う場合、大がかりな機械を必要とするため、簡易的な判別方法としての利用は難しい面があった。
【０００６】
また、印刷に模様と判別具によるモアレパターンで真偽判別を行う場合、モアレを発生させる模様が周期的な幾何学模様である場合が多いため、デザイン上の制約を受け、また、判別具を特定の位置および角度で重ね合わせないと意図するモアレが出現することがなかった。
【０００７】
以上のことから、本発明は前述した問題点を解決することを目的としたもので、透かし模様入り用紙の透かし模様を透過光で判別することなく、透かし模様を設けた領域に判別具を密着させ観察した場合、もしくは白色光等を照射して観察した場合に透かし模様を視認できるため、判別具を用いることで容易に真偽判別することが可能である。また、透かし模様入り用紙の透かし模様の裏面に印刷模様を設けてあっても透かし模様の視認が可能となる透かし模様入り用紙の真偽判別方法及びその透かし模様入り用紙並びにその判別具を提案するものである。
【０００８】
本発明は、用紙に任意の透かし模様を設けた透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法である。
【０００９】
また、本発明は、用紙に任意の透かし模様を設けた透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて白色光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法である。
【００１０】
また、本発明は、用紙に任意の透かし模様を設け、前記透かし模様上に有色インキによる模様印刷による隠蔽層を有した透かし模様入り用紙に、万線パターン又は網点パターンを印刷した光透過性基板からなる判別具を用いて、前記用紙に設けた透かし模様に、前記判別具の万線パターン又は網点パターンが印刷されている面を密着させて前記有色インキと同色又は近似した色相の光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法である。
【００１１】
また、本発明は、用紙に任意の透かし模様を設け、前記透かし模様上に有色蛍光インキによる模様印刷と、前記有色蛍光インキとエネルギー線照射時に同色又は近似した色相で発光する無色蛍光インキによるベタ模様を印刷された隠蔽層を有した透かし模様入り用紙に、万線パターン又は網点パターンを印刷した光透過性基板からなる判別具を用いて、前記前記用紙に設けた透かし模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、さらに、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙の真偽判別方法である。
【００１２】
また、本発明は、用紙に任意の透かし模様を設けた透かし模様入り用紙を、万線パターン又は網点パターンを印刷した光透過性基板からなる判別具を密着させて判別する透かし模様入り用紙において、前記用紙に設けた透かし模様上に、前記判別具の万線パターン又は網点パターンが印刷されている面を密着させて観察した場合又は白色光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙である。
【００１３】
また、本発明は、用紙に任意の透かし模様を設けた透かし模様入り用紙を、万線パターン又は網点パターンを印刷した光透過性基板からなる判別具を密着させて判別する透かし模様入り用紙において、前記用紙に設けた透かし模様上に有色インキによる模様印刷による隠蔽層を有し、前記隠蔽層を有した透かし模様に、前記判別具の万線パターン又は網点パターンが印刷されている面を密着させて前記有色インキと同色又は近似した色相の光を照射して観察した場合に、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙である。
【００１４】
また、本発明は、用紙に任意の透かし模様を設けた透かし模様入り用紙を、万線パターン又は網点パターンを印刷した光透過性基板からなる判別具を密着させて判別する透かし模様入り用紙において、前記用紙に設けた透かし模様上に有色蛍光インキによる模様印刷と、前記有色蛍光インキとエネルギー線照射時に同色又は近似した色相で発光する無色蛍光インキによるベタ模様を印刷された隠蔽層を有し、前記隠蔽層を有した透かし模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、さらに、前記透かし模様の凹んでいる領域に前記判別具の万線パターン又は網点パターンの影が発生し、前記判別具の非印刷部から前記影によって可視化された前記透かし模様が視認されることを特徴とする透かし模様入り用紙である。
【００１５】
また、本発明は、前記透かし模様入り用紙の透かし模様が透過光で視認できないように、前記透かし模様の裏面にカモフラージュ模様を印刷したことを特徴とする透かし模様入り用紙である。
【００１６】
また、本発明は、前記透かし模様入り用紙の透かし模様が透過光で視認できないように、前記透かし模様入り用紙の片面に不透明度の高い基材を接着したことを特徴とする透かし模様入り用紙である。
【００１７】
また、本発明は、万線パターン又は網点パターンを印刷した光透過性基板からなり、前記基板の万線パターン又は網点パターンを印刷した面を、任意の透かし模様の形成された透かし模様入り用紙の前記透かし模様に密着させて、前記透かし模様の凹んでいる領域に前記判別具の万線パターン又は網点パターンの影が発生し、前記判別具の非印刷部から前記影によって可視化された前記透かし模様が視認される前記透かし模様入り用紙を判別する判別具である。
【００１８】
また、本発明は、前記万線パターンは１インチ当たり１５０から３００本の万線パターンからなり、前記網点パターンはスクリーン線数が１５０線から３００線の範囲で、網点率が３０％〜７０％からなることを特徴とする判別具である。
【００２８】
【発明の実施の形態】
図１に本発明の基本原理を示す。すき入れによって形成される透かし模様のある用紙１の上に判別具２を密着させ、斜めの方向から照明３によって光を照射すると判別具に付与された模様の影によって、すき入れによる用紙の凹凸が目視で確認できるようになる。
【００２９】
例として、図２のようにすき入れによって形成されている、「Ａ」のすき入れ模様５が付与されているすき入れ用紙４の場合、図３のように判別具に万線状のパターン７が付与されている場合、すき入れによる凹凸の付与された面の上に万線パターンの付与された判別具を図４のように密着させる。このとき、判別具において万線パターンが付与された面をすき入れ面に密着させる必要がある。照明を斜め方向から照射することによって、すき入れに付与された凹凸の凹んでいるところでは判別具の万線パターンによる影１０が発生する。この状態を上から観察すると、すき入れ模様上にある判別具の万線パターン８のほかに、凹部に発生した影１０が判別具の非画線部９より観察できるため、すき入れ模様である「Ａ」が認識できるようになる。
【００３０】
しかし、判別具に付与されたパターンが万線パターンの場合、照明方向及び観察方向の両方が万線の方向もしくは真上である場合、もしくは全く同じである場合、発生した影を認識できないため、すき入れ模様「Ａ」が認識できないが、それ以外の条件で有れば照明方向及び観察方向は任意でよい。また、判別具に付与されたパターンが網点パターンの場合、照明方向及び観察方向が全く同じである場合をのぞいて、照明方向及び観察方向は任意でよい。
【００３１】
また、判別具に用いる光透過性基板はプラスチックやガラスなどを用いればよく、判別具に付与する模様は上記の万線パターンの場合、線の数は１インチあたり１５０〜３００本程度の本数があればすき入れ模様を認識することができる。ほかには、網点パターンでも同様の効果を得ることができる。網点パターンの場合、線数で１５０から３００線あれば、すき入模様を認識することができる。網点形状においては、特に限定されることなく、スクエアドット、チェーンドット、ラウンドドット、特殊網点等を使用することができる。また、万線形状は、特に限定されることなく、平行万線、波万線等を使用することができる。また、判別具に付与する各パターンは影を発生させるための高い、不透明度を有していればよく、不透明度が高ければ、黒以外の白等も可能であり、特に限定されるものではない。
【００３２】
本発明はすき入れ模様上に判別具を密着させて判別する手法であるため、従来のすき入れのように透過光での観察は必ずしも必要でない。そのため、判別具を密着させる面とは反対側の面にカモフラージュ模様などの印刷などを行って、透過光でのすき入れの観察ができないようにする事も可能である。この場合、判別具を用いる以外にすき入れ模様を確認する方法がないため、すき入れ模様の秘匿性は向上させることができる。カモフラージュ模様は特に限定されることなく彩紋模様、微小文字、ベタ、通常の絵柄を用いることができる。
【００３３】
また、不透明度の高い別の基材（用紙、フィルム等）を裏面に接着し、透過光でのすき入れの観察ができないようにすることも可能である。
【００３４】
また、図５のように判別具を密着させない状態で印刷模様１２を施すことによって判別具を密着させる面から観察したときのすき入れ模様１１の秘匿性を向上させることができる。しかしながら、有色インキを用いて印刷模様１２を施し、判別具を密着させて、白色光を照射する場合、すき入れ模様１１の視認性を阻害させるため、白色光を色フィルターに通したり、発光ダイオードを用いることによって、有色インキと同色又は近似した色相の光を照射することで、印刷模様１２によるすき入れ模様１１の視認性の低下を抑えることができる。印刷模様１２は特に限定されることなく彩紋模様、微小文字、ベタ、通常の絵柄を用いることができる。また、本発明の有色インキは、特に限定されないが、黒インキを用いる場合、印刷絵柄はベタを用いると本発明の効果を得ることができない。
【００３５】
また、図６のように印刷模様を有色蛍光インキによる模様１５と、紫外線等のエネルギー線を照射したときに、有色蛍光インキと同色又は近似した色相で発色をする無色蛍光インキによる、すき入れ模様全面にわたるベタ模様１７にすることによって、紫外線等のエネルギー線を照射したときに、有色蛍光インキによる模様を見えなくすることによって、すき入れ模様１４のみを視認させることができる。なお、紫外線等照射時に同色又は近似した色相に発色するのであれば、有色蛍光インキは複数色を同一領域に用いてもかまわない。
【００３６】
本発明の透かし模様は、円網、長網、手すき等の通常のすき入れ手法を用いて作製することができる。
【００３７】
【実施例】
以下、実施例を用いて本発明を更に詳細に説明するが、本発明の内容は、これらの実施例の範囲に限定されるものではない。
【００３８】
（実施例１）
円網抄紙機にてすき入れ模様入り用紙を作成し、判別具には１５０線の平行万線が片面に印刷されてあるガラス版を用いた。すき入れ模様が付与されている場所に、判別具の平行万線がある面を密着させ、判別具およびすき入れ用紙に対して斜め方向から白色光（この実施例では懐中電灯を利用した）を照射して観察することによってすき入れ模様が確認できた。また、白色光を照射しなくとも、自然光のみで観察した場合、凹凸による図柄が確認できた。
【００３９】
（実施例２）
円網抄紙機にてすき入れ模様入り用紙を作成し、判別具を密着させない状態におけるすき入れ模様の視認性を低下させるために、すき入れ模様に重なるように、可視光下で観察すると赤色で、紫外線下で観察すると同様の赤色に発光する有色蛍光インキを用いた模様印刷をオフセット印刷にて行い、また、可視光下では無色透明で、紫外線下で観察すると有色蛍光インキと同色の赤に発光する無色蛍光インキを同一領域に全面を覆うようにベタ模様をオフセット印刷で印刷した。判別具には１５０線の平行万線が片面に印刷されてあるガラス版を用いた。すき入れ模様が付与されている場所に、判別具の平行万線がある面を密着させ、判別具およびすき入れ用紙に対して正面の方向から紫外線を照射し、観察することによって有色蛍光印刷による模様は視認が困難になるために、すき入れ模様のみが確認できた。
【００４０】
（実施例３）
円網抄紙機にてすき入れ模様入り用紙を作成し、判別具を密着させない状態におけるすき入れ模様の視認性を低下させるために、すき入れ模様に重なるように、通常の有色インキを用いた模様印刷をオフセット印刷にて行った。判別具には１５０線の平行万線が片面に印刷されてあるガラス版を用いた。すき入れ模様が付与されている場所に、判別具の平行万線がある面を密着させ、判別具およびすき入れ用紙に対してななめ方向から、模様印刷に用いた有色インキと同色の色フィルターを通した光を照射し、観察することによって模様印刷による模様は視認が困難になるために、すき入れ模様のみが確認できた。
【００４１】
（実施例４）
円網抄紙機にてすき入れ模様入り用紙を作成し、その片面に透過光でのすき入れ模様の視認性を低下させるために模様印刷を行った。判別具には１５０線の平行万線が片面に印刷されてあるガラス版を用いた。すき入れ模様が付与されている場所の模様印刷がされていない面に、判別具の平行万線がある面を密着させ、判別具およびすき入れ用紙に対して斜め方向から白色光を照射し、観察することによってすき入れ模様が確認できた。
【００４２】
（実施例５）
円網抄紙機にてすき入れ模様入り用紙を作成し、その片面に透過光でのすき入れ模様の視認性を困難にさせるために光を通さない厚手の紙を接着した。判別具には１５０線の平行万線が片面に印刷されてあるガラス版を用いた。すき入れ模様が付与されている場所の模様印刷がされていない面に、判別具の平行万線がある面を密着させ、判別具およびすき入れ用紙に対して斜め方向から白色光を照射し、観察することによってすき入れ模様が確認できた。
【００４３】
以上、本発明の実施例に基づいて説明したが、本発明はこの実施例に限定されるものではなく、特許請求の範囲記載における技術的思想の範囲内であれば、その他のいろいろな実施の形態が考えられる。
【００４４】
【発明の効果】
透かし模様入り用紙の透かし模様を透過光で判別することなく、判別具を用いれば透かし模様入り用紙の透かし模様の裏面に印刷模様を設けても透かし模様の視認が可能であり、透かし模様入り用紙の透かし模様を設けた領域に判別具を密着させ観察した場合又は白色光等を照射して観察した場合に、透かし模様を視認でき、透かし模様がどこに入っているか解っている者は、容易に真偽判別することが可能であり、透かし模様がどこに入っているか解らない者は、一見どこに透かし模様が入っているか解らないため複製が困難となる。
【００４５】
また、判別具は認識させようとするすき入れ模様の大きさ程度であればよいため、判別装置のための設置スペースなどは必要なく、携帯できる程度の大きさが可能である。また、判別具のパターンと照明条件、観察方向が一定の条件を満たせばすき入れ模様の形状はどの様な形状でもよく、判別具との重ね合わせにおいても、厳密に位置を合わせて重ねる必要がないため、非常に手軽な判別方法としての利用が考えられる。
【００４６】
【図面の簡単な説明】
【図１】本発明の基本原理を示す図である。
【図２】本発明におけるすき入れ模様を示す図である。
【図３】本発明の判別具の１例を示す図である。
【図４】本発明の基本原理を示す図である。
【図５】本発明における有色インキによる隠蔽模様を示す図である。
【図６】本発明における蛍光インキを用いた隠蔽模様を示す図である。
【符号の説明】
１  すき入れ模様入り用紙
２  判別具
３  照明
４  すき入れ模様入り用紙
５  すき入れ模様
６  判別具の光透過性基板
７  判別具に付与された万線状のパターン
８  判別具に付与された万線状のパターン
９  凹凸パターン入り基材の基材部分（非画線部）
１０  判別具によって発生した影
１１  すき入れ模様
１２  有色インキによる隠蔽模様
１３  すき入れも用入り用紙
１４  すき入れ模様
１５  有色蛍光インキによる隠蔽模様
１６  すき入れ模様入り用紙
１７  無色蛍光インキによるベタ模様
【図１】
0003777420.tif 000002
【図２】
0003777420.tif 000003
【図３】
0003777420.tif 000004
【図４】
0003777420.tif 000005
【図５】
0003777420.tif 000006
【図６】
0003777420.tif 000007